(57)【要約】【課題】簡易な構成で安価に製造することができ、且つ、高い装着性を有しながら着脱操作が容易で使い勝手の良いボトルホルダーを提供することを目的とする。【解決手段】金属線材がコイル状に巻回形成されボトル型容器14のくびれ部11に被嵌される環状被嵌部１と、この環状被嵌部１に連設された一対の摘み部２と、前記環状被嵌部１若しくは前記摘み部２に設けられバッグ、リュック等適宜なものに形成された被係止部20に係止される係止部３とから成り、前記一対の摘み部２を近接させることで前記環状被嵌部１が拡径するように構成されているボトルホルダー。【選択図】図１
2019064663.tif 000002
【特許請求の範囲】
【請求項１】
本体部、くびれ部、膨出径大部、飲み口部及び前記飲み口部に設けられるキャップで構成されたペットボトルや缶ボトル等のボトル型容器を吊下携行可能にするためのボトルホルダーであって、金属線材がコイル状に巻回形成され前記くびれ部に被嵌される環状被嵌部と、この環状被嵌部に連設された一対の摘み部と、前記環状被嵌部若しくは前記摘み部に設けられバッグ、リュック等適宜なものに形成された被係止部に係止される係止部とから成り、前記一対の摘み部を近接させることで前記環状被嵌部が拡径するように構成されていることを特徴とするボトルホルダー。
【請求項２】
請求項１記載のボトルホルダーにおいて、前記環状被嵌部、前記摘み部及び前記係止部は、一本の金属線材により一体形成され、この一本の金属線材の一端に一方の摘み部が他端に他方の摘み部が設けられ、この一対の摘み部の間に環状被嵌部が設けられ、前記環状被嵌部の常態における径は、前記膨出径大部を通過不能な径であり、また拡径した前記環状被嵌部の径は、前記環状被嵌部を前記飲み口部に被嵌し降下させることで前記膨出径大部を通過し前記くびれ部に位置せしめることが可能な径であることを特徴とするボトルホルダー。
【請求項３】
請求項１，２いずれか１項に記載のボトルホルダーにおいて、前記摘み部は、環状であり、この摘み部が前記係止部であることを特徴とするボトルホルダー。
【発明の詳細な説明】
【技術分野】
【０００１】
本発明は、ペットボトル飲料や缶ボトル飲料等のボトル型容器飲料を吊下携行可能にするためのボトルホルダーに関するものである。
【背景技術】
【０００２】
従来、例えば特許文献１に示すようなペットボトルホルダーが提案されている。
【０００３】
このペットボトルホルダーは、ペットボトルの首部にしなりと復元性をもって着脱する開口部付のＣ形本体と、このＣ形本体の外面に設けられるカラビナ等を取り付け可能な万能止輪とで構成され、ペットボトルのキャップ下の首部（くびれ部）に開口部から押し嵌めて取り付ける構成である。
【先行技術文献】
【特許文献】
【０００４】
【特許文献１】実用新案登録第３１４７１１７号公報
【発明の概要】
【発明が解決しようとする課題】
【０００５】
この種のペットボトルホルダーは、簡易な構成で安価に製造することができるメリットがある反面、Ｃ形本体のしなり（ばね性）が弱いと外れやすくなってしまうことから、安易に外れないようにＣ形本体のしなりを強靭なものとする必要があり、そのため、押し嵌め時や取り外し時に非常に大きな力を要するものになっていて、女性やお年寄り、子供など非力な者にとっては使いづらいものであった。
【０００６】
本発明は、このような現状に鑑みなされたもので、簡易な構成で安価に製造することができ、且つ、高い装着性を有しながら着脱操作が容易で使い勝手の良いボトルホルダーを提供することを目的とする。
【課題を解決するための手段】
【０００７】
添付図面を参照して本発明の要旨を説明する。
【０００８】
本体部10、くびれ部11、膨出径大部12、飲み口部及び前記飲み口部に設けられるキャップ13で構成されたペットボトルや缶ボトル等のボトル型容器14を吊下携行可能にするためのボトルホルダーであって、金属線材がコイル状に巻回形成され前記くびれ部11に被嵌される環状被嵌部１と、この環状被嵌部１に連設された一対の摘み部２と、前記環状被嵌部１若しくは前記摘み部２に設けられバッグ、リュック等適宜なものに形成された被係止部20に係止される係止部３とから成り、前記一対の摘み部２を近接させることで前記環状被嵌部１が拡径するように構成されていることを特徴とするボトルホルダーに係るものである。
【０００９】
また、請求項１記載のボトルホルダーにおいて、前記環状被嵌部１、前記摘み部２及び前記係止部３は、一本の金属線材により一体形成され、この一本の金属線材の一端に一方の摘み部２が他端に他方の摘み部２が設けられ、この一対の摘み部２の間に環状被嵌部１が設けられ、前記環状被嵌部１の常態における径は、前記膨出径大部12を通過不能な径であり、また拡径した前記環状被嵌部１の径は、前記環状被嵌部１を前記飲み口部に被嵌し降下させることで前記膨出径大部12を通過し前記くびれ部11に位置せしめることが可能な径であることを特徴とするボトルホルダーに係るものである。
【００１０】
また、請求項１，２いずれか１項に記載のボトルホルダーにおいて、前記摘み部２は、環状であり、この摘み部２が前記係止部３であることを特徴とするボトルホルダーに係るものである。
【発明の効果】
【００１１】
本発明は上述のように構成したから、簡易な構成で安価に製造することができ、且つ、高い装着性を有しながら着脱操作が容易で使い勝手の良いボトルホルダーとなる。
【図面の簡単な説明】
【００１２】
【図１】本実施例を示す斜視図である。
【図２】本実施例の拡径状態を示す説明平面図（ａ）及び説明正断面図（ｂ）である。
【図３】本実施例の縮径状態（常態）を示す説明平面図（ａ）及び説明正断面図（ｂ）である。
【図４】本実施例の使用状態を示す斜視図である。
【発明を実施するための形態】
【００１３】
好適と考える本発明の実施形態を、図面に基づいて本発明の作用を示して簡単に説明する。
【００１４】
本発明は、一対の摘み部２を互いに接近させる摘み操作を行うことで、環状被嵌部１が弾性拡径変形し、この環状被嵌部１が拡径することでこの環状被嵌部１をボトル型容器14の本体部10と膨出径大部12との間に形成されるくびれ部11に被嵌することができる。
【００１５】
このくびれ部11に環状被嵌部１を被嵌させた状態で摘み部２の摘み操作を解除すると、環状被嵌部１は弾性復帰により縮径変形し、この環状被嵌部１が縮径することで、環状被嵌部１が膨出径大部12を通過することができなくなり、これにより、この環状被嵌部１のくびれ部11に対する被嵌状態が保持されることとなる。
【００１６】
すなわち、環状被嵌部１は、摘み部２の摘み操作により拡径されることでくびれ部11の上方に位置する膨出径大部12を通過することができるが、摘み操作が解除され常態に戻ると膨出径大部12よりも小径な環状になり膨出径大部12を通過することができず、これにより、くびれ部11から脱落しない状態になって被嵌状態が保持される。
【００１７】
本発明は、この環状被嵌部１がくびれ部11に対する被嵌状態が保持されることで、言い換えると、環状被嵌部１がくびれ部11に脱落不能に装着されることで、ペットボトルや缶ボトル等のボトル型容器14に強固に装着されることとなり、この状態で係止部３を、バッグ、リュック等適宜なものに形成された（または装着された）被係止部20に直接的に係止する、或いはカラビナ等の連結部材21を介して係止することで、このボトル型容器14を吊下携行することができる。
【実施例】
【００１８】
本発明の具体的な実施例について図面に基づいて説明する。
【００１９】
本実施例は、本体部10、くびれ部11、膨出径大部12、飲み口部及び前記飲み口部に設けられるキャップ13で構成されたペットボトルや缶ボトル等のボトル型容器14を吊下携行可能にするためのボトルホルダーであって、金属線材がコイル状に巻回形成され前記くびれ部11に被嵌される環状被嵌部１と、この環状被嵌部１に連設された一対の摘み部２と、前記環状被嵌部１若しくは前記摘み部２に設けられバッグ、リュック等適宜なものに形成された被係止部20に係止される係止部３とから成り、前記一対の摘み部２を近接させることで前記環状被嵌部１が拡径するように構成されている。
【００２０】
また、本実施例は、環状被嵌部１、摘み部２及び係止部３が、一本の金属線材により一体形成され、この一本の金属線材の一端に一方の摘み部２が他端に他方の摘み部２が設けられ、この一対の摘み部２の間に環状被嵌部１が設けられた構成とされている。
【００２１】
またさらに、本実施例は、前記金属線材として、ばね性を有するステンレス鋼線材が採用されている。なお、採用する金属線材は上記に限定されるものではない。
【００２２】
以下、本実施例に係る構成各部について詳述する。
【００２３】
本実施例の環状被嵌部１は、上述したばね性を有する一本のステンレス鋼線材を複数巻回形成してコイルばねに形成されるものであり、さらにコイルばねの始端と終端の両端部が交差状態に配置される構成とされている。
【００２４】
具体的には、図示するように、二巻きコイルばねに形成されていて、常態においてボトル型容器14（具体的には、市場に販売されている一般的なペットボトル飲料のペットボトル）のくびれ部11（本体部10と連設している飲み口部の立ち上がり基部）よりも大径で、且つこのくびれ部11の上方に設けられる膨出径大部12（一般的にネックリング或いはサポートリングと言われている箇所）よりも小径な円形状に形成されている。
【００２５】
より具体的には、環状被嵌部１は、くびれ部11に対して遊挿状態で被嵌するように膨出径大部12よりも若干（１ｍｍ程度）小径に形成されていて、少ない拡径量で膨出径大部12を通過可能な径になるように構成されている。
【００２６】
すなわち、常態から膨出径大部12を通過可能な径に拡径させる拡径量が大きくなるほど、摘み部２の摘み操作に大きな力が必要となり操作性を低下させてしまうが、本実施例の環状被嵌部１は、この環状被嵌部１の拡径量を可及的に小さくし、摘み部２の摘み操作を容易にし、この環状被嵌部１をくびれ部11に簡易に被嵌装着し得る構成とされている。
【００２７】
また、摘み部２は、上述した環状被嵌部１の交差配設された両端部に夫々設けられており、具体的には、環状被嵌部１の一方の端部から延設される金属線材、他方の端部から延設される金属線材の夫々が、環状に屈曲形成されて成る構成とされている。
【００２８】
より具体的には、摘み部２は、６０°程度の位相差をもって交差配設され、環状被嵌部１の中心を通る延長線上の外方に向かって大きく（本実施例では約２０ｍｍ）突出する横長環形状（本実施例では図示するような涙マーク形状）に形成されている。
【００２９】
すなわち、本実施例は、摘み部２同士の交差間隔が広すぎると摘み操作しにくくなるが、本実施例は親指と人差し指とで容易に摘み操作することができる適宜な交差間隔となる上記６０°程度の位相差にして各摘み部２を配置され、その位置からこの摘み部２を外方に大きく突出させることで、被係止部20に係止する際の係止操作がし易く、また、てこの原理により小さな力でも容易に環状被嵌部１を弾性拡径変形させることができるように構成されている。
【００３０】
また、本実施例は、上述のように摘み部２を環状に形成することで、この摘み部２を係止部３とする構成とし、この係止部３となる摘み部２がバッグ、リュック等適宜なものに形成された被係止部20に係止される構成とされ、例えば、図示するように、この摘み部２（係止部３）にカラビナ等の連結部材21を連結し、この連結部材21を介して被係止部20となるベルトなどに係止することができる構成とされている。
【００３１】
尚、本実施例では、摘み部２を係止部３とする構成とし、連結部材21（カラビナ）を介して被係止部20（ベルト）に係止する例を示したが、摘み部２とは別体に係止部３を設けた構成でも良く、また、係止部３は環状被嵌部１若しくは摘み部２のいずれに設けられる構成であっても良い。また、係止部３の形状も、環状に限定されず、フック状（鉤状）としても良く、さらに連結部材21を介すことなく被係止部20に直接係止する構成としても良い。
【００３２】
以上のように構成される本実施例の作用効果について以下に説明する。
【００３３】
本実施例は、一対の摘み部２を互いに接近させる摘み操作を行うことで、環状被嵌部１が弾性拡径変形し、この環状被嵌部１を膨出径大部12よりも大径状態に拡径することができ、これにより、この環状被嵌部１をボトル型容器14の膨出径大部12を通過させ、膨出径大部12の下方に形成されるくびれ部11に被嵌することができる。
【００３４】
そして、このくびれ部11に環状被嵌部１を被嵌させた状態で摘み部２の摘み操作を解除することで、環状被嵌部１が弾性復帰により縮径変形し、この環状被嵌部１が縮径することで、環状被嵌部１が膨出径大部12を通過することができなくなり、これにより、この環状被嵌部１がくびれ部11に脱落不能に被嵌装着され、この環環状被嵌部１がくびれ部11に脱落不能に装着されることで、ペットボトルや缶ボトル等のボトル型容器14に強固に装着されることとなる。
【００３５】
したがって、このボトル型容器14に装着した本実施例に設けられる係止部３となる摘み部２をカラビナ等の連結部材21を介してバッグ、リュック等適宜なものに形成された被係止部20（本実施例では被係止部20としてベルトに係止させた状態を示す）に係止することで、このボトル型容器14を吊下携行することができる。
【００３６】
また、本実施例を用いて吊下携行するボトル型容器14内の飲料を飲む場合は、摘み部２を摘み操作して環状被嵌部１を拡径させることで、環状被嵌部１からボトル型容器14を容易に取り外すことができるので、ボトル型容器14を環状被嵌部１から外した状態で飲んでも良いし、また、本実施例は、上述のように極めてシンプルな構造でコンパクト形状に形成され、また、摘み部２は外方に突出していることから、くびれ部11に装着した状態のままでも摘み部２が干渉せず、よって、本実施例を装着したまま飲むこともできる。
【００３７】
このように、本実施例は、一本の金属線材を屈曲形成させて形成される極めて簡易な構成で容易に且つ安価に製造することができ、しかも、高い装着性（容易に抜け外れない）を有しながら、てこの原理を利用し操作が容易な摘み部２の摘み操作により簡易に着脱操作することができるが極めて実用性に優れた画期的なボトルホルダーとなる。
【００３８】
尚、本発明は、本実施例に限られるものではなく、各構成要件の具体的構成は適宜設計し得るものである。
【符号の説明】
【００３９】
１  環状被嵌部
２  摘み部
３  係止部
10  本体部
11  くびれ部
12  膨出径大部
13  キャップ
14  ボトル型容器
20  被係止部
【図１】
2019064663.tif 000003
【図２】
2019064663.tif 000004
【図３】
2019064663.tif 000005
【図４】
2019064663.tif 000006